(57)【要約】排泄物を受け入れる空間を有する吸収性の物品は、空間と連結した伸長性スリット開口部を含む。伸長性スリット開口部は、使用中に着用者の排泄部位が長手方向及び横方向に一直線上でＺ方向の近接性を維持する、スリット開口部の長手方向縁部に沿って配置された伸縮性領域を含む。伸縮性領域はスリット開口部から横方向外側に分配される張力を生み出す貯蔵弾性エネルギーを有し、縁部をずらして排泄物をスリット開口部から空間へ通過させることができる。
2004512098.tif 000002
【特許請求の範囲】
【請求項１】
排泄物を受け入れる第一の空間への通路を供給する伸長性スリット開口部を具備するトップシートを有する着用可能な物品であって、前記スリット開口部が長手方向に反対の側端部を包含し、着用者の排泄部位がスリット開口部と長手方向及び横方向に一直線上でＺ方向の近接性を維持するように、前記側端部のそれぞれの少なくとも一部に沿って配置された伸縮性領域を有し、前記伸縮性領域が、スリット開口部から横方向外側に分配される張力を作り出す貯蔵弾性エネルギーを含む，着用可能な物品。
【請求項２】
前記伸縮性領域が、端部をずらして排泄物をスリット開口部に通過させることができる、請求項１に記載の着用可能な物品。
【請求項３】
排泄物がスリット開口部を通過する際に、前記伸縮性領域がスリット開口部のＺ方向の近接性を維持する、請求項１に記載の着用可能な物品。
【請求項４】
前記伸長性スリット開口部が約５ｃｍ〜約２０ｃｍの長さを有する、請求項１に記載の着用可能な物品。
【請求項５】
前記伸長性スリット開口部が約５〜約１００の縦横比で定義される、請求項１に記載の着用可能な物品。
【請求項６】
前記伸縮性領域が全体で少なくとも約５０ミリジュール（ｍＪ）の貯蔵弾性エネルギーを含む、請求項１に記載の着用可能な物品。
【請求項７】
前記伸縮性領域がトップシートに約０．０５Ｎ〜約５Ｎの使用中反発力を生成する、請求項１に記載の着用可能な物品。
【請求項８】
前記伸縮性領域が約５０ｍＪ／リニアｃｍの貯蔵エネルギー配分を有する、請求項１に記載の着用可能な物品。
【請求項９】
長手方向軸、第一の腰部領域、第二の腰部領域、及び両腰部領域の間の股部領域を有する着用可能な物品であって、前記着用可能な物品がトップシートと、バックシートと、トップシートとバックシートの間の吸収性コアとを有し、前記トップシートが、
排泄物を受け入れる第一の空間への通路を供給する伸長性スリット開口部を有し、前記伸長性スリット開口部が長手方向軸に沿って股部領域に配置され、前記股部領域が第一の腰部領域の方向に伸びる第一の末端部及び第二の腰部領域の方向に伸びる第二の末端部を有し、前記伸長性スリット開口部が長手方向に反対の側端部を有し、着用者の排泄部位がスリット開口部と長手方向及び横方向に一直線上でＺ方向の近接性を維持するように、前記側端部の少なくとも一部に沿って配置された伸縮性領域を有し、前記伸縮性領域が、スリット開口部から横方向外側に分配される張力を作り出す貯蔵弾性エネルギーを含む、着用可能な物品。
【請求項１０】
長手方向軸、第一の腰部領域、第二の腰部領域、及び両腰部領域の間の股部領域を有する使い捨て可能なおむつであって、前記使い捨て可能なおむつが、
バックシートと、
バックシートと結合した第一のトップシートと、
バックシートと第一のトップシートの間に配置された吸収性コアと、
糞便を受け入れる第一の空間を形成するために第一のトップシートの少なくとも一部を覆って第一のトップシートと結合した第二のトップシートとを有し、前記第二のトップシートが第一の空間と連結した伸長性スリット開口部を包含し、前記伸長性スリット開口部が長手方向軸に沿って股部領域に配置され、第一の腰部領域の方向に伸びる第一の末端部及び第二の腰部領域の方向に伸びる第二の末端部を有し、前記伸長性スリット開口部が長手方向に反対の側端部を包含し、着用者の排泄部位がスリット開口部と長手方向及び横方向に一直線上でＺ方向の近接性を維持するように、前記側端部のそれぞれの少なくとも一部に沿って配置された伸縮性領域を有し、前記伸縮性領域が、スリット開口部から横方向外側に分配される張力を作り出す貯蔵弾性エネルギーを含む，使い捨て可能なおむつ。
【発明の詳細な説明】
【０００１】
（発明の分野）
本発明は、おむつ、トレーニングパンツ、成人用失禁用物品、女性用保護物品などの衛生用吸収性物品に関する。
【０００２】
（発明の背景）
着用可能な吸収性物品は、当該技術分野において周知である。これらの物品は、通常吸収性コアを有し、使用中に固定システムによって着用者の体に接触させて固定又は配置し、排泄物を捕える。典型的な吸収性物品は、着用者に面し、流体排泄物を通すことができるトップシートと、排泄物が吸収性物品から漏れるのを防ぐバックシートを含む。
【０００３】
使い捨て可能な吸収物品の導入以来、当該技術分野では数多くの進歩を遂げてきた。しかし、糞便の受入や保持に関する問題は依然として存在している。この問題を解決するのが難しかったのは、糞便は一般にトップシートを通過せず、従って、おむつを替えるまで、おむつの中で固定されず動いてしまうからである。このために、糞便がおむつから漏れたり、着用者の皮膚を汚したりすることが多い。
【０００４】
糞便が吸収性物品から漏れたり皮膚を汚すのを防ぐために、おむつのトップシートとその下の層との間に配置された空間へ糞便を移動させることができる開口をトップシートに設けた。しかし、物品の利用中に開口を配置することは難しく、多くの場合、物品着用時に望ましい位置からずれてしまう。
【０００５】
糞便を通過させて皮膚に接触させないために、ほぼ楕円形の開口を有する伸縮性を持たせて収縮させたトップシートを使用すると、ある程度の成功を収めた。これらの物品は、デマレーズ（ＤｅｓＭａｒａｉｓ）へ発行された米国特許第４，８９２，５３６号、及びフリーランド（Ｆｒｅｅｌａｎｄ）へ発行された米国特許第４，９９０，１４７号に開示されており、これらの特許を共に参考として本明細書に組み入れる。これらの取り組みでは、物品の長手方向軸、横方向軸、又はＺ方向軸の１つ以上の軸で開口部と着用者の肛門の位置が揃った状態を保てないという制限がある。更に、開口部が横にかなりずれた場合には、開口部は臀部の端で形状的に閉じてしまう可能性があり、肛門と開口部の位置が適切に揃う可能性が低くなる。
【０００６】
従って、排泄物を受け入れる空間へ通じる開口を有し、使用中も維持できる優れたフィット性と位置合わせ機能を有する吸収性物品を提供することが望ましい。
【０００７】
（発明の概要）
当該技術分野における１つ又はそれ以上の問題を解決するために、成人用失禁用物品、乳幼児用おむつ、トレーニングパンツ、又は女性用衛生物品などの吸収性物品に、着用者の排泄部位から、排泄物を受け入れて保持する空間までの通路を供給する、伸長性スリット開口部を設ける。伸長性スリット開口部は、使用中に開口部を着用者の排泄部位と位置を合わせて近接させた状態を保つために、長手方向に伸縮性縁部を含む。
【０００８】
吸収性物品は、糞便排泄物を受け入れる空間と連結した伸長性スリット開口部を含むトップシート、トップシートの少なくとも一部と結合したバックシート、及びトップシートの少なくとも一部とバックシートの間に配置された吸収性コアを含むことが好ましい。トップシートを伸長性スリット開口部の長手方向縁部に沿って収縮させて、スリット開口部から横方向外側に分配される張力を生み出す貯蔵弾性エネルギーを有する伸縮性領域を形成する。伸縮性領域により、着用中にスリット開口部が臀部の溝に押し込まれ、着用開始時も着用中もスリット開口部と着用者の肛門の位置が横方向及び長手方向で揃い、Ｚ方向に近接する状態に保つ。張力を開口部の横方向に分配することによって、貯蔵弾性エネルギーが縁部沿いに集中するのを最小限に抑え、糞便は縁部をずらして開口部を通り空間へ移動することができる。
【０００９】
（詳細な説明）
本明細書は、発明とみなす点を特に指摘し明確に請求する請求項にて結論とするが、以下の本発明の詳細説明を読んで添付図面を検討することにより、本発明をより容易に理解することができると考える。
【００１０】
本発明は、排泄物を受け入れる空間と連結した伸長性スリット開口部のあるトップシートを有する吸収性物品を提供する。スリット開口部は、少なくとも縁部の一部に沿って配置された伸縮性領域を有する、長手方向に伸びた縁部により形成される。伸縮性領域は、着用者の排泄部位と、長手方向及び横方向で位置を揃えてＺ方向で近接する状態を保つ。着用者が物品を着用する時、伸縮性領域はスリット開口部から横方向外側に分配される張力を生み出す貯蔵弾性エネルギーを有し、最小限の抵抗を与えるだけで排泄物を通過させることができる。本明細書に記載の長手方向に伸びた伸縮性縁部を有する伸長性スリット開口部は、トレーニングパンツ、パンツ型おむつ、失禁用パンツ、失禁用下着、吸収性挿入物、おむつホルダー及びライナー、女性用衛生衣類、包帯などの吸収製品に同様に適用することができるが、本発明の吸収性物品の好ましい実施形態は、図１に示す使い捨て可能なおむつ２０のような１回使用の使い捨て可能な吸収性物品である。
【００１１】
定義
本明細書で使用する次の用語は、以下に示す意味を有する。
【００１２】
「吸収性物品」は、液体を吸収して保持する装置を指し、より具体的には、着用者の身体に当てて又は接近して配置され、身体から排出される様々な排泄物を吸収して保持する装置を指す。
「長手方向」は、物品の最大直線寸法に平行に走る方向であり、長手方向±４５°内の方向を含む。
「横」又は「横断」方向は、長手方向と直交する。
「Ｚ方向」は、長手方向及び横断方向の両方と直行する。
【００１３】
本明細書において使用する用語「使い捨て可能な」は、洗濯、又は吸収性物品として修復又は再使用することを通常意図しない（すなわち、その物品を、１回の使用後に廃棄するか、好ましくはリサイクルするか、堆肥化するか、又はそうでなければ環境に適応した方法で処分することを意図する）吸収性物品を説明するのに使用する。
【００１４】
本明細書で使用する用語「配置した」とは、要素が、他の要素と共に単一の構造物として、又は他の要素へ結合される別個の要素として、特定の場所又は位置に形成される（結合され位置決めされる）ことを意味するのに使用する。
【００１５】
本明細書で使用する用語「結合した」は、１つの要素が、別の要素に直接付加することにより、他の要素へ直接固定される構造、及び１つの要素が中間部材に付加し、その中間部材が別の要素に付加することにより、他の要素に間接的に固定される構造を包含する。
【００１６】
「一体型」吸収性物品とは、別個の部品が相互に接合して形成され、調和して働く一体物であり、従って別個の保持器又はライナーのような別個の操作部品を必要としない吸収性物品を指す。
【００１７】
本明細書で使用する用語「おむつ」とは、一般に幼児及び失禁者が胴体下部の周りに着用する吸収性物品を言う。
【００１８】
本明細書で使用する用語「空間」とは、糞便などの排泄物を受け入れるために大きさが決められた空洞である。
【００１９】
図１は、平らに伸ばした非収縮状態の（つまり、弾性による収縮がない）おむつ２０の平面図であり、おむつ２０の下層構造をより明瞭に示すために構造の一部が切り取られ、おむつ２０の着用者に接触する部分を上に向けている。おむつ２０の１つの端部は、おむつ２０の第一の腰部領域３６として構成されている。その反対側の端部は、おむつ２０の第二の腰部領域３８として構成されている。おむつ２０の中間部分は、第一の腰部領域３６と第二の腰部領域３８の間を長手方向に延びる股部領域３７として構成されている。腰部領域３６及び３８は、着用した時に着用者の腰を取り巻くおむつ２０の部分を概ね占める。腰部領域３６及び３８は、着用者の腰の周りで縮んでフィット性と収容性を向上させるために、弾性要素を含むことができる。股部領域３７は、おむつ２０を着用した時に、着用者の脚の間に概ね配置されるおむつ２０の部分である。
【００２０】
おむつ２０は、液体透過性トップシート２４、液体不透過性バックシート２６、及びトップシート２４とバックシート２６の間に入れられた吸収性コア２８を含むのが好ましい。トップシートは糞便が透過しにくい領域を含むことができる。トップシート２４は、全体的に又は部分的に伸縮性を持たせ、又は収縮させて、トップシート２４とコア２８の間に空間を供給するようにすることができる。伸縮性を持たせた又は収縮させたトップシートを含む代表的な構造は、１９９０年１月９日にデマレーズ（Ｄｅｓ Ｍａｒａｉｓ）らへ発行された「弾性ストランドを有する吸収性物品（Ａｂｓｏｒｂｅｎｔ Ａｒｔｉｃｌｅ Ｈａｖｉｎｇ Ｅｌａｓｔｉｃ Ｓｔｒａｎｄｓ）」という名称の米国特許第４，８９２，５３６号、１９９１年２月５日にフリーランド（Ｆｒｅｅｌａｎｄ）へ発行された「排泄物隔離用の弾性ライナーを持つ吸収性物品（Ａｂｓｏｒｂｅｎｔ Ａｒｔｉｃｌｅ Ｗｉｔｈ Ｅｌａｓｔｉｃ Ｌｉｎｅｒ Ｆｏｒ Ｗａｓｔｅ Ｍａｔｅｒｉａｌ Ｉｓｏｌａｔｉｏｎ）」という名称の米国特許第４，９９０，１４７号、１９９１年８月６日にアレン（Ａｌｌｅｎ）らへ発行された「弾性的伸長性のトップシートを備える使い捨て吸収性物品（Ｄｉｓｐｏｓａｂｌｅ Ａｂｓｏｒｂｅｎｔ Ａｒｔｉｃｌｅ Ｈａｖｉｎｇ Ｅｌａｓｔｉｃａｌｌｙ Ｅｘｔｅｎｓｉｂｌｅ Ｔｏｐｓｈｅｅｔ）」という名称の米国特許第５，０３７，４１６号、及び１９９３年１２月１４日にフリーランド（Ｆｒｅｅｌａｎｄ）らへ発行された「使い捨て吸収製品用の三等分したトップシート及びそのトップシート付きの使い捨て吸収製品（Ｔｒｉｓｅｃｔｉｏｎ Ｔｏｐｓｈｅｅｔｓ Ｆｏｒ Ｄｉｓｐｏｓａｂｌｅ Ａｂｓｏｒｂｅｎｔ Ａｒｔｉｃｌｅｓ ａｎｄ Ｄｉｓｐｏｓａｂｌｅ Ａｂｓｏｒｂｅｎｔ Ａｒｔｉｃｌｅｓ Ｈａｖｉｎｇ Ｓｕｃｈ Ｔｒｉｓｅｃｔｉｏｎ Ｔｏｐｓｈｅｅｔｓ）」という名称の米国特許第５，２６９，７７５号に更に詳細に記載され、これら特許のそれぞれを参考として本明細書に組み入れる。
【００２１】
おむつ２０は、少なくとも１つの係合構成要素（雄締結構成要素）及び少なくとも１つの着床域（雌締結構成要素）を含む、面ファスナー４０などの締結具をも含むのが好ましい。おむつ２０はまた、脚部カフス、前部及び後部耳パネル、ウエストキャップ機構、弾性部などを包含する、当該技術分野において既知の他の機構を備えて、より良いフィット性や収容性や美的特性を提供することができる。このような追加的な特徴は当該技術分野において周知であり、米国特許第３，８６０，００３号及び米国特許第５，１５１，０９２号に記載されており、これらを参考として本明細書に組み入れる。
【００２２】
しかも、本発明は他のおむつの実施形態にも適切と考えられ、これらには、２０００年１月４日に発行された「粘性液体である体外排泄物を処理する物品（Ｖｉｓｃｏｕｓ Ｆｌｕｉｄ Ｂｏｄｉｌｙ Ｗａｓｔｅ Ｍａｎａｇｅｍｅｎｔ Ａｒｔｉｃｌｅ）」という名称の米国特許第６，０１０，４９１号、１９９９年２月２３日に発行された「シャーシと芯の改良によるおむつの適合と適合維持（Ｆｉｔ Ａｎｄ Ｓｕｓｔａｉｎｅｄ Ｆｉｔ Ｏｆ Ａ Ｄｉａｐｅｒ Ｖｉａ Ｃｈａｓｓｉｓ Ａｎｄ Ｃｏｒｅ Ｍｏｄｉｆｉｃａｔｉｏｎｓ）」という名称の米国特許第５，８７３，８７０号、１９９９年４月２７日に発行された「コンバーチブル吸収性物品と共に使用するエラストマーサイドパネル（Ｅｌａｓｔｏｍｅｒｉｃ Ｓｉｄｅ Ｐａｎｅｌ ｆｏｒ Ｕｓｅ ｗｉｔｈ Ｃｏｎｖｅｒｔｉｂｌｅ Ａｂｓｏｒｂｅｎｔ Ａｒｔｉｃｌｅｓ）」という名称の米国特許第５，８９７，５４５号、１９９９年５月１８日に発行された「構造上の伸縮性様細糸織物腰部帯を持つ吸収性用品（Ａｂｓｏｒｂｅｎｔ Ａｒｔｉｃｌｅ Ｗｉｔｈ Ｓｔｒｕｃｔｕｒａｌ Ｅｌａｓｔｉｃ−Ｌｉｋｅ Ｆｉｌｍ Ｗｅｂ Ｗａｉｓｔ Ｂｅｌｔ）」という名称の米国特許第５，９０４，６７３号、１９９９年８月３日に発行された「使い捨てプルオン式パンツ（Ｄｉｓｐｏｓａｂｌｅ Ｐｕｌｌ Ｏｎ Ｐａｎｔ）」という名称の米国特許第５，９３１，８２７号、１９９９年１１月２日に発行された「巨大粒子貯蔵構造を持つ吸収性用品（Ａｂｓｏｒｂｅｎｔ Ａｒｔｉｃｌｅ Ｗｉｔｈ Ｍａｃｒｏ−Ｐａｒｔｉｃｕｌａｔｅ Ｓｔｏｒａｇｅ Ｓｔｒｕｃｔｕｒｅ）」という名称の米国特許第５，９７７，４３０号、及び１９９９年１２月２１日に発行された「複数の方向に延伸するサイドパネルを持つ吸収性物品（Ａｂｓｏｒｂｅｎｔ Ａｒｔｉｃｌｅ Ｗｉｔｈ Ｍｕｌｔｉ−Ｄｉｒｅｃｔｉｏｎａｌ Ｅｘｔｅｎｓｉｂｌｅ Ｓｉｄｅ Ｐａｎｅｌｓ）」という名称の米国特許第６，００４，３０６号とに開示されるものが含まれ、これらの開示を参考として本明細書に組み入れる。
【００２３】
本発明は排泄物の取り込み又は封入に特に適しており、排泄物によって着用者の皮膚が汚れる量や面積を減少させる。排泄物の動きを抑え、及び／又は排泄物を保持する、本発明のその他の実施形態は、長手方向に伸びた伸縮性縁部を有して空間への通路を備える伸長性スリット開口部に加えて、排泄物を受け入れて保持するポケット、物品内で排泄物の動きを抑えるバリア、おむつ２０に堆積する排泄物を受け入れて保持する区画若しくは空間、又はこれらのいかなる組み合せも含むことができる。吸収性製品に使用するポケット及びスペーサの実施例は、１９９６年５月７日にロー（Ｒｏｅ）らへ発行された「排除スペーサを有するおむつ（Ｄｉａｐｅｒ Ｈａｖｉｎｇ Ｅｘｐｕｌｓｉｖｅ Ｓｐａｃｅｒ）」という名称の米国特許第５，５１４，１２１号、１９９２年１２月１５日にドレイル（Ｄｒｅｉｅｒ）らへ発行された「スペーサ付き使い捨て吸収性物品（Ｄｉｓｐｏｓａｂｌｅ Ａｂｓｏｒｂｅｎｔ Ａｒｔｉｃｌｅ Ｈａｖｉｎｇ Ｃｏｒｅ Ｓｐａｃｅｒｓ）」という名称の米国特許第５，１７１，２３６号、１９９５年３月１４日にドレイル（Ｄｒｅｉｅｒ）へ発行された「袋式カフを有する紙おむつ（Ａｂｓｏｒｂｅｎｔ Ａｒｔｉｃｌｅ Ｈａｖｉｎｇ Ａ Ｐｏｃｋｅｔ Ｃｕｆｆ）」という名称の米国特許第５，３９７，３１８号、１９９６年７月３０日にドレイル（Ｄｒｅｉｅｒ）へ発行された「頂点付ポケット型折り返し付浸出物吸収材料使用商品（Ａｂｓｏｒｂｅｎｔ Ａｒｔｉｃｌｅ Ｈａｖｉｎｇ Ａ Ｐｏｃｋｅｔ Ｃｕｆｆ Ｗｉｔｈ Ａｎ Ａｐｅｘ）」という名称の米国特許第５，５４０，６７１号、１９９３年１２月３日に公開された「吸収性衛生物品に使用されるスペーサ及びかかるスペーサを有する使い捨て吸収性物品（Ｓｐａｃｅｒｓ Ｆｏｒ Ｕｓｅ Ｉｎ Ｈｙｇｉｅｎｉｃ Ａｂｓｏｒｂｅｎｔ Ａｒｔｉｃｌｅｓ Ａｎｄ Ｄｉｓｐｏｓａｂｌｅ Ａｂｓｏｒｂｅｎｔ Ａｒｔｉｃｌｅｓ Ｈａｖｉｎｇ Ｓｕｃｈ Ｓｐａｃｅｒ）」という名称のＰＣＴ国際公開特許ＷＯ９３／２５１７２、１９９４年４月２６日にフリーランド（Ｆｒｅｅｌａｎｄ）へ発行された「使い捨て吸収物品に使用する柔軟なスペーサー（Ｆｌｅｘｉｂｌｅ Ｓｐａｃｅｒｓ Ｆｏｒ Ｕｓｅ Ｉｎ Ｄｉｓｐｏｓａｂｌｅ Ａｂｓｏｒｂｅｎｔ Ａｒｔｉｃｌｅｓ）」という名称の米国特許第５，３０６，２６６号、及び１９９９年１２月７日にアール（Ａｈｒ）らへ発行された「延伸又は膨張を選択できる部材を持つ使い捨て吸収製品（Ｄｉｓｐｏｓａｂｌｅ Ａｂｓｏｒｂｅｎｔ Ａｒｔｉｃｌｅ Ｗｉｔｈ Ｓｅｌｅｃｔｉｖｅｌｙ Ｅｘｐａｎｄａｂｌｅ ｏｒ Ｉｎｆｌａｔａｂｌｅ Ｃｏｍｐｏｎｅｎｔ）」という名称の米国特許第５，９９７，５２０号に記載されている。隔室又は空洞の実施例は、１９９０年１１月６日にカーン（Ｋｈａｎ）へ発行された「使い捨て糞便収納型おしめ（Ｄｉｓｐｏｓａｂｌｅ Ｆｅｃａｌ Ｃｏｍｐａｒｔｍｅｎｔｉｎｇ Ｄｉａｐｅｒ）」という名称の米国特許第４，９６８，３１２号、１９９１年２月５日にフリーランド（Ｆｒｅｅｌａｎｄ）へ発行された「排泄物隔離用の弾性ライナーを持つ吸収性物品（Ａｂｓｏｒｂｅｎｔ Ａｒｔｉｃｌｅ Ｗｉｔｈ Ｅｌａｓｔｉｃ Ｌｉｎｅｒ Ｆｏｒ Ｗａｓｔｅ Ｍ���ｔｅｒｉａｌ Ｉｓｏｌａｔｉｏｎ）」という名称の米国特許第４，９９０，１４７号、１９９１年１１月５日にホルト（Ｈｏｌｔ）らへ発行された「使い捨ておむつ（Ｄｉｓｐｏｓａｂｌｅ Ｄｉａｐｅｒｓ）」という名称の米国特許第５，６２，８４０号、及び１９９３年１２月１４日にフリーランド（Ｆｒｅｅｌａｎｄ）らへ発行された「使い捨て吸収製品用の三等分したトップシート及びそのトップシート付きの使い捨て吸収製品（Ｔｒｉｓｅｃｔｉｏｎ Ｔｏｐｓｈｅｅｔｓ Ｆｏｒ Ｄｉｓｐｏｓａｂｌｅ Ａｂｓｏｒｂｅｎｔ Ａｒｔｉｃｌｅｓ Ａｎｄ Ｄｉｓｐｏｓａｂｌｅ Ａｂｓｏｒｂｅｎｔ Ａｒｔｉｃｌｅｓ Ｈａｖｉｎｇ Ｓｕｃｈ Ｔｒｉｓｅｃｔｉｏｎ Ｔｏｐｓｈｅｅｔｓ）」という名称の米国特許第５，２６９，７５５号に開示されている。適切な横断方向バリヤの例は、１９９６年９月１０日にドレイル（Ｄｒｅｉｅｒ）らの名で発行された「横断仕切りを有する吸収性物品（Ａｂｓｏｒｂｅｎｔ Ａｒｔｉｃｌｅ Ｈａｖｉｎｇ Ｍｕｌｔｉｐｌｅ Ｅｆｆｅｃｔｉｖｅ Ｈｅｉｇｈｔ Ｔｒａｎｓｖｅｒｓｅ Ｐａｒｔｉｔｉｏｎ）」という名称の米国特許第５，５５４，１４２号、１９９４年７月７日にフリーランド（Ｆｒｅｅｌａｎｄ）らの名で公開された「立ち上がった横断方向仕切りを有する吸収性物品（Ａｂｓｏｒｂｅｎｔ Ａｒｔｉｃｌｅ Ｈａｖｉｎｇ Ａｎ Ｕｐｓｔａｎｄｉｎｇ Ｔｒａｎｓｖｅｒｓｅ Ｐａｒｔｉｔｉｏｎ）」という名称のＰＣＴ国際公開特許ＷＯ９４／１４３９５、及び１９９７年８月５日にロー（Ｒｏｅ）らへ発行された「排泄物仕切り付吸収用品（Ａｂｓｏｒｂｅｎｔ Ａｒｔｉｃｌｅ Ｈａｖｉｎｇ Ａｎｇｕｌａｒ Ｕｐｓｔａｎｄｉｎｇ Ｔｒａｎｓｖｅｒｓｅ Ｐａｒｔｉｔｉｏｎ）」という名称の米国特許第５，６５３，７０３号に記載されている。低粘性糞便の取り扱いに特に適切なその他の構造の実施例は、１９９９年８月２４日にロー（Ｒｏｅ）らへ発行された米国特許第５，９４１，８６４号、１９９９年１１月２日にロー（Ｒｏｅ）らへ発行された米国特許第５，９７７，４３０号、及び２０００年１月１１日にロー（Ｒｏｅ）らへ発行された米国特許第６，０１３，０６３号に開示されている。上記に引用した参照の全てを、本明細書に参考として組み入れる。
【００２４】
排泄物、特に糞便などの粘性排泄物を望ましいレベルで取り込み又は封入を行うためには、少なくとも２つの機能が果たされなければならない。第一に、おむつは、着用者の肛門からトップシートを通っておむつ内の空間までつながる通路を備える必要があり、この場合、着用者におむつをあてる時、最初におむつを肛門と位置が揃うように配置し、着用中もその位置を保つことができなくてはならない。第二に、通路は最小限の抵抗を与えるだけで排泄物を空間ヘ支障なく移動させることができなくてはならない。
【００２５】
図２に本発明のおむつ２０のトップシート２４を示す。トップシート２４は、糞便排泄物を受け入れて排泄物の少なくとも一部を着用者の皮膚から隔離するように構成されたスリット開口部６０を含む。糞便排泄物が開口部を通ってトップシート２４と吸収性コア２８及び／又はその他の下層（下部層、獲得層など）との間に形成された空間へ移動するように、スリット開口部６０はトップシート２４に位置する。空間は排泄物を取り込み又は封入する。空間は、おむつ２０の２つの要素の間にも形成できるように意図され、これらの２つの要素には、トップシート２４とバックシート２６、獲得層とコア２８、コア２８とバックシート２６などが含まれるが、これらに限定されない。あるいは、空間は第二のトップシートと第一のトップシートの間に形成することができき、これらのトップシートは向かい合わせに配置し、第二のトップシートが着用者の皮膚に面し、第一のトップシートが下の層に面するように縁部に沿って結合する。この実施形態では、空間は第二のトップシートにあるスリット開口部と連結している。
【００２６】
トップシート２４のスリット開口部６０は、使用中、着用者の肛門と位置が揃うように位置する。トップシート２４のスリット開口部６０は、おむつのターゲット領域に位置することが好ましい。ターゲット領域とは、着用者から糞便を直接受け取るように設計された、一般におむつの股部分に位置するおむつの部位である。特に、ある一実施形態では、トップシートを完全に伸ばした状態で測定する時、ターゲット領域はおむつの長手方向軸４２に沿って約５〜約２０ｃｍの長さに伸び、その長さの約４分の１はおむつ２０の横方向軸４４から第一の腰部領域３６に長手方向に伸び、残りの長さは第二の腰部領域３８に長手方向に伸びることができるが、これに限定されない。一般に、スリット開口部６０の約０〜約４０％は、おむつ２０の横方向の中心線４４より前方に位置することができる。
【００２７】
トップシート２４のスリット開口部６０は、一般に長手方向軸４２に沿ってターゲット領域に位置し、向かい合って長手方向に伸びる２つの縁部６２、前側端部６４、及び後側端部６６により形成される。一般に前側端部６４は、おむつ２０の第一の腰部領域３６に近い股部領域３７に位置し、一方後側端部６６は、第二腰部領域３８に近い股部領域３７に位置する。スリット開口部６０は、おむつの長手方向軸４２に平行な長手方向の長さと、おむつ２０の横方向軸４４に平行な横方向の幅を有する。スリット開口部６０の長さは約５〜約２０ｃｍ、好ましくは約１２〜約１８ｃｍであり、幅は約０〜約２ｃｍ、好ましくは約０．２〜約０．５ｃｍである。スリット開口部の縦横比（横方向の幅に対する長手方向の長さの比）は一般に約５〜約１００であり、好ましくは少なくとも約１５である。
【００２８】
トップシート２４に空間と連結した開口部を有するおむつは、使用期間を通して（あるいは少なくとも着用者が排便をするまで）トップシートの開口部と排泄部位（つまり着用者の肛門）の位置が合っていないと、その利点はかなり失われる。従って、本発明のおむつ２０は伸縮性を持たせて収縮させたトップシートを含み、このトップシートはスリット開口部６０の長手方向縁部６２の少なくとも一部に沿って伸縮性領域７０、７１を有し、この伸縮性領域は弾性エネルギーを貯蔵しており、おむつを着用者にあてる時、縁部６２に沿って張力を与える。この貯蔵弾性エネルギー又は張力負荷により、スリット開口部６０は最も抵抗が少ない領域（つまり最も伸縮がゆるむ位置）に落ち着く。フィットしたおむつ又はトレーニングパンツでは、最も抵抗が少ない領域は肛門周辺を含む臀部の溝である。おむつ２０が着用者に適合している時、張力負荷によりスリット開口部６０は着用者の肛門付近の皮膚に接して位置し、着用中は肛門と長手方向及び横方向で位置がそろいＺ方向に近接した状態を保つ。その結果、糞便は、トップシート２４と着用者の皮膚との間の領域よりもスリット開口部６０の方へ移動しやすくなる。
【００２９】
使用中のトップシート２４の長手方向の伸長は、個々の着用者の身体の大きさ、介護人が利用する際の癖の違い、又は着用中の製品のずれ（おむつのたるみなど）によって異なることがある。伸縮性を持たせて収縮させたトップシートは、すべての典型的な使用中のトップシートの伸長にとって望ましい範囲で伸縮力を保持することが好ましい。本発明のある好ましい実施形態では、サイズ４の乳幼児用に設計したおむつの使用中のトップシートの長さは２５〜３５ｃｍであることができる。トップシートの伸縮性領域７０、７１により誘発される使用中の望ましい反発力は、これらの伸長した長さにおいて約０．０５〜約５Ｎ及び約０．２〜約１Ｎであり、約０．５Ｎの使用中の反発力が最も望ましい。これらに相当する伸縮性領域７０、７１の使用中の力の分配は、横方向の長さの単位当たりの力に換算すると、約０．０１〜約３Ｎ／ｃｍ及び約０．０５〜約１．０Ｎ／ｃｍであることができ、約０．１〜約０．５Ｎ／ｃｍの使用中の力の分配が最も望ましい。力が強いと不必要に皮膚を刺激したり跡が残ることがあり、逆に力が弱いと望ましい機能が提供されないことがある。
【００３０】
伸縮性領域によりスリット開口部６０の長手方向縁部６２に沿って誘発される張力は、着用者の肛門と位置を合わせた状態を保つことに加えて、糞便をスリット開口部６０に通過させることができなくてはならない。伸縮性の長手方向縁部６２がスリット開口部６０を着用者の臀部の溝に押し込むと、それによって長手方向縁部６２は共に押し付けられ、開口部を空間から有効的に遮断することができる。従って、前述した長手方向、横方向、及びＺ方向の位置合わせ性能（つまりスリット開口部と肛門の位置の調和）を保ちながら、通常の排便時に糞便が縁部６２をずらしてスリット開口部を通り空間へ移動することができるように、スリット開口部の縁部に沿った貯蔵弾性エネルギーは最小限に抑えられることが好ましい。従って、トップシート２４が最適に糞便を隔離するには、スリット開口部６０と肛門の位置を合わせてスリット縁部６２を臀部の溝に押し込みやすくするために、スリット開口部６０の横方向外側の領域における貯蔵弾性エネルギーの総量は十分に高いことが望ましく、同時に、排便時に糞便がスリット開口部６０を通過できるように、スリット縁部６２にごく近いトップシート２４の領域では貯蔵弾性エネルギーを十分に低く保つことが望ましい。このことは、貯蔵弾性エネルギーをスリット開口部６０の横方向外側に分配することにより実現することができる。あるいは、本明細書に記載する身体接着性組成物や十分な貯蔵弾性エネルギーを使用すると、スリット開口部の縁部６２を皮膚に近接させた状態を保つことができ、ずれることなく糞便にスリット開口部６０を通過させることができる。
【００３１】
弾性エネルギーを保存する、事前に伸張した伸縮性部材を、スリット開口部６０の長手方向縁部６２の少なくとも一部に沿って結合させると、トップシートを収縮させて伸縮性領域７０、７１を形成することができ、この伸縮性領域は、実質的にトップシートの長手方向軸４２と一直線上の張力を誘発することができる。この実施形態では、伸縮性領域７０、７１は長手方向縁部６２に沿った領域の範囲にわたり、スリット開口部６０の長手方向縁部６２から横方向外側に貯蔵弾性エネルギーを分配し、スリット縁部６２に沿って集中する張力を最小限に抑えている。
【００３２】
スリット開口部の長手方向縁部６２から横方向に測定した伸縮性領域７０、７１の幅は約５〜約５０ｍｍであり、一般には少なくとも約１０ｍｍである。スリット開口部６０の横方向外側の伸縮性領域７０、７１は、伸縮性領域７０、７１又は部材を弛緩状態の長さより約６７％長い長さまで伸張した場合又は完全に伸長した場合（どちらか先に生じた方）において、幅（ｍｍ）当たり約２０ｍＪ／ｍｍ以下、好ましくは約１０ｍＪ／ｍｍ以下、最も好ましくは約５ｍＪ／ｍｍ以下の定常状態の貯蔵弾性エネルギーの横方向の分配を有することができる。更に好ましくは、スリット開口部６０の横方向外側の伸縮性領域７０、７１は、伸縮性領域又は部材を弛緩状態の長さより約１００％長い長さまで伸張した場合又は完全に伸長した場合（どちらか先に生じた方）において、幅（ｍｍ）当たり約２０ｍＪ／ｍｍ以下、好ましくは約１０ｍＪ／ｍｍ以下、最も好ましくは約５ｍＪ／ｍｍ以下の定常状態の貯蔵弾性エネルギーの横方向の分配を有することができる。一般に貯蔵弾性エネルギーの分配は、伸縮性部材を弛緩状態の長さより少なくとも約６７％長い長さまで伸長した場合、約１〜約２５ｍＪ／ｍｍ、好ましくは約２〜約１０ｍＪ／ｍｍである。更に、スリット開口部６０の縁部６２に沿った定常状態の貯蔵弾性エネルギーは全体で少なくとも約５０ｍＪであり、一般にトップシートを完全に伸長した状態で約１００〜約５００ｍＪである。例えば、オハイオ州シンシナティのＰｒｏｃｔｅｒ ａｎｄ Ｇａｍｂｌｅ Ｃｏ．から市販されている体重が２１〜３７ポンド（９．５〜１７キログラム）の着用者用に設計されたおむつ、Ｐａｍｐｅｒｓ Ｐｒｅｍｉｕｍの４号サイズのトップシートは、完全に伸長した状態で約５０１．７ｍｍの長さを有することができる。一般に、トップシートを完全に伸長した場合、スリット縁部に沿った伸縮性領域における定常状態の貯蔵エネルギーは全体で約５０〜約１０００ｍＪであることができる。
【００３３】
トップシート２４も、弛緩状態から完全に伸長しきらない長さまで伸長した時、定常状態の貯蔵エネルギーを有することが好ましい。例えば、トップシートは、完全に伸長した長さの６７％まで伸長した場合、少なくとも約５０ｍＪの貯蔵エネルギーを有することができる。介護人により製品を着用させる時にエネルギーがトップシートに保存されるように、トップシートの弛緩状態の長さは着用者の「股上」（つまり着用者のへそから腰のくびれた部分までを股を通して測定した長さ）より短いことが好ましい。トップシートの弛緩状態の長さは、トップシートが完全に伸長した長さの約８０％より短いことが好ましい。更に好ましくは、トップシートの弛緩状態の長さは、トップシートが完全に伸長した長さの約６０％より短い。最も好ましくは、トップシートの弛緩状態の長さは、トップシートが完全に伸長した長さの約５０％より短い。
【００３４】
以下に実施例１と呼ばれる実施例では、これに限定されないが、ＶＦＥ Ｘ２５００７の名前でインディアナ州テレホートのＴｒｅｄｅｇａｒ Ｃｏｒｐｏｒａｔｉｏｎから市販されている伸縮性フィルムを、Ｐ−１４の名前でマサチューセッツ州ウォルポールのＶｅｒａｔｅｃ， Ｉｎｃ．から市販されているポリプロピレン不織布に伸張した状態で配置している。不織布フィルムは、弛緩状態で幅が５０ｍｍ、長さ（伸張する方向）が７６ｍｍである。伸縮性フィルムは各末端部の６ｍｍ分の領域を除く必要がある。次に、伸縮性フィルムを２４０ｍｍの長さまで伸張し、不繊布の長手方向軸に沿って中心を合わせて不織布の下面に貼り付けて、伸縮性トップシートを形成する。伸縮性フィルムの後端は、不繊布の後端から６４ｍｍのところに位置する（つまりこの端は最終製品のおむつの後側の腰部領域になることを意図している）。伸縮性フィルム／不織布の積層体の長手方向軸に沿って、長さ１６０ｍｍ、幅５ｍｍのスリットを作成する（スリット領域の横方向外側の領域を伴う伸縮性領域の幅は、伸縮性フィルムを５ｍｍ除くため、全体で４５ｍｍである）。スリットの後端は、伸縮性フィルムの後端から６８ｍｍのところに位置する。スリットの弛緩状態の長さは５５ｍｍである。トップシートの弛緩状態の長さは２４５ｍｍである。このトップシートは、体重が２１〜３７ポンド（９．５〜１７キログラム）の乳幼児用に設計されたおむつ、Ｐａｍｐｅｒｓ Ｐｒｅｍｉｕｍの４号サイズに使用することができる。このトップシートは以下で実施例１と呼ばれる。
【００３５】
以下に比較例１と呼ばれる比較例では、９４０ Ｄｅｓｉｔｅｘ Ｌｙｃｒａの名前でデラウェア州ウイルミントンのＤｕＰｏｎｔ ｄｅ Ｎｅｍｏｕｒｓ， Ｅ． Ｉ． ＆ Ｃｏ．， Ｉｎｃ．から市販されているＬｙｃｒａ繊維を使用してトップシートを作成する。Ｌｙｃｒａ繊維の幅は０．５ｍｍである。２本のＬｙｃｒａ繊維（弛緩状態の長さはそれぞれ６５ｍｍ）を２２５ｍｍの長さまで伸張し、Ｐ−１４不織布の下面に２本を隣接させて貼り付ける。２本のＬｙｃｒａ繊維の間で不織布に１６０ｍｍのスリットを入れる。スリットの弛緩状態の長さは約５３ｍｍである。トップシートの弛緩状態の長さは２２５ｍｍである。このトップシートは下記に比較例１として記載する。比較例１及び実施例１のデータを表１に示す。
【００３６】
【表１】
2004512098.tif 000003
上記の代表的なおむつの実施形態（実施例１）の寸法及びその他のパラメータは、着用者（大人も含む）のサイズに合わせて当業者により容易に変更することができる。
【００３７】
本発明のある好ましい実施形態では、伸長性スリット開口部６０の長手方向縁部６２に沿った伸縮性領域７０、７１の伸縮率は、横方向又は長手方向のいずれか一方で異なることができる。例えば、通過を促したり、臀部の溝や肛門とスリット開口部６０の位置が合うようにするために、スリット６０の後側末端部６６の方が伸縮率が高いことがあるが、糞便がスリット６０を通過しやすくするために、肛門に近いスリット開口部６０の前側末端部６４の方が伸縮率が低いことがある。さまざまな伸縮率を当該技術分野において既知のいかなる手段にも定めることができ、これには伸縮性領域７０、７１の異なる部分に異なる材料を使用したり、規定の材料の層の数を変更したり、伸縮性領域７０、７１の異なる部分を伴うトップシート２４を機械的に変更したり、ある領域の伸縮性材料にスリットを付けることなどが含まれる。例えば、図３に示す本発明の実施形態では、これに限定されないが、肛門と接する領域の伸縮率を減らして糞便の通過を促すように、伸縮性材料は、この領域のスリット７４のパターンを含む。本発明のある実施形態では、スリット開口部６０の前半分の少なくとも一部に沿った伸縮性領域の伸縮率は、スリット開口部６０の後半分の少なくとも一部に沿った伸縮性領域の伸縮率より約５０％低いことがある。このような実施形態では、スリット開口部６０の前領域の伸縮率は、一般にスリット開口部６０の後領域の伸縮率の約１０〜６０％である。
【００３８】
図４に示す別の実施形態では、着用中にスリット開口部６０の位置を合わせやすくしてその状態を保持するように、トップシート２４は別の伸縮性領域を含む。例えば、トップシート２４は、スリット開口部６０の第二の末端部６６の近くで長手方向軸４２と一直線上に配置された後側伸縮性領域８０を含むことができる。更に、トップシート２４は、２つの前側伸縮性領域９０、９２を含むことができる。前側伸縮性領域９０、９２は、スリット開口部６０の第一の末端部６４の近くに配置され、股部領域３７から第一の腰部領域３６の方向に向かって伸びることができ、この時、２つの前側伸縮性領域９０、９２がスリット開口部６０から第一の腰部領域３６の方向に互いから分岐するように、長手方向軸４２から０以外の角度を有する。後側伸縮性領域８０は、全体で少なくとも約５０ｍＪの定常状態の貯蔵弾性エネルギーを有し、トップシート２４が完全に伸長した状態では一般に約５０〜２００ｍＪを有する。２つの前側伸縮性領域９０、９２は、全体で少なくとも約５０ｍＪの定常状態の貯蔵弾性エネルギーを有し、トップシート２４が完全に伸長した状態では一般に約５０〜５００ｍＪを有する。
【００３９】
ある実施形態では、おむつ２０は、トップシート２４のスリット開口部を使用中に正しい位置に保持するように働く局所接着剤又は身体接着性組成物を含む。これらの実施形態では、スリットの縁部は着用者の肛門付近の皮膚に近接した状態で保持され、排便時に皮膚からずれることはない。局所接着剤は、トップシート２４の上に置くことができる。しかし、身体接着性組成物は、トップシート２４若しくは吸収性物品の他の要素を作る材料と一体でもよく、又は、吸収性物品の全体若しくはいずれかの部分の上に直接若しくは間接的に配置した別個の材料であってもよい。更に、身体接着性組成物は、吸収性物品のいかなる部分の上にでも、線、帯、点などのいかなるパターン又は構成で配置されてもよいが、これらに限定されない。
【００４０】
ある好ましい実施形態では、局所接着剤５０は、伸長性スリット開口部の長手方向縁部に沿ってトップシート２４の上に配置する。しかし、実施形態では、局所接着剤５０が伸長性スリット開口部の一部だけを囲む、及び／又は伸長性スリット開口部と直接隣り合わない、トップシート２４の縁部周辺、レッグカフ３２上、又は腰部領域の一方又は両方などの位置に配置されることを意図している。
【００４１】
身体接着性組成物のタイプは、取り外し可能に着用者の皮膚に接着することができる物質なら１つ以上含んでもよい。更に、身体接着性組成物は、ゲル、ローション、フィルム、又はウェブなどの形態であってよい。適切な身体接着性組成物の例としては、接着剤類、ゼラチン、ワセリン、シリコーンワックス又は石油ワックスなどのワックス類、シリコーン又は石油ベースオイルなどのオイル類、及び以下に記載するようなスキンケア組成物又は成分などが挙げられる。適切な局所接着剤としては、アクリルベースポリマー接着剤などの、ヒドロゲル又はヒドロコロイド接着剤が含まれるが、これらに限定されない。（幾つかの代表的なヒドロゲル及び／又はヒドロコロイド接着剤が、米国特許第４，２３１，３６９号、第４，５９３，０５３号、第４，６９９，１４６号、第４，７３８，２５７号、及び第５，７２６，２５０号に開示されており、それぞれを参考として本明細書に組み入れる。）局所接着剤はまた、皮膚などの生物学的組織に使用できるいかなる「医療用接着剤」を含んでもよい。身体接着性組成物として使用するのに適切なアクリル医療用接着剤として、ペンシルバニア州グレンロックのＡｄｈｅｓｉｖｅ Ｒｅｓｅａｒｃｈ， Ｉｎｃ．からＭＡ−４６、ＭＡ−３１２、「ＭＴＴＭ」高ＭＶＴＲ接着剤、及びＡＳ−１７の名称で入手可能な接着剤が含まれる。Ａｄｈｅｓｉｖｅ Ｒｅｓｅａｒｃｈ， Ｉｎｃ．のＳＢ−２などのゴムベース医療用接着剤も適切である。他の代表的な接着剤として、ミシガン州ミッドランドのＤｏｗ Ｃｏｒｎｉｎｇから入手可能なＤｏｗ Ｃｏｒｎｉｎｇ Ｍｅｄｉｃａｌ Ａｄｈｅｓｉｖｅ（タイプＢ）、イリノイ州リバティービルのＨｏｌｌｉｓｔｅｒ Ｉｎｃ．からの「ＭＥＤＩＣＡＬ ＡＤＨＥＳＩＶＥ」、ミネソタ州セントポールの３Ｍ Ｃｏｒｐ．から入手可能な３Ｍ Ｓｐｒａｙ Ａｄｈｅｓｉｖｅｓ＃７９、７６、７７、及び９０、並びにミシガン州ファーンデールのＦｅｒｎｄａｌｅ Ｌａｂｏｒａｔｏｒｉｅｓから入手可能な液体接着剤、「ＭＡＴＩＳＯＬ」などが挙げられる。その他の医療用接着剤が、米国特許第４，０７８，５６８号、第４，１４０，１１５号、第４，１９２，７８５号、第４，３９３，０８０号、第４，５０５，９７６号、第４，５５１，４９０号、第４，７６８，５０３号に記載されており、またポリアクリレート及びポリメタクリレートヒドロゲル接着剤が、米国特許第５，６１４，５８６号、及び第５，６７４，２７５号に開示されており、それぞれの開示を参考として本明細書に組み入れる。ポリビニールピロリドン（ｐｙｒｏｌｌｉｄｏｎｅ）及び多機能アミン含有ポリマーを含む更に別の代表的な接着剤が、ＷＯ９４／１３２３５Ａ１号に開示されている。（これらの引用文献のそれぞれの開示を参考として本明細書に組み入れる。）上述のものの代わりに又はこれに加えて使用可能な代替身体接着手段として、静電気、吸引などが挙げられる。いかなる場合においても、身体接着性組成物は、蒸気が通過可能（すなわち、通気性）であり、皮膚に適合性があり、そうでなければ皮膚に優しいことが好ましい。更に、身体接着剤は、少なくとも部分的に疎水性であり、好ましくは接着剤の６０重量％、より好ましくは８０重量％が、疎���性構成成分からなることが好ましい。しかしながら、親水性接着剤も、本発明のある実施形態では考慮の内である。
【００４２】
伸縮性部材における定常状態の貯蔵弾性エネルギーの計算
一般に、伸縮性部材における貯蔵エネルギーは、使い捨て可能な吸収性物品のために設計した伸縮性部材や、製造時に使い捨て可能な吸収性物品と結合した伸縮性部材をこれらの使い捨て可能な吸収性物品から外して測定する。伸縮性部材はトップシートの全体又は一部を含むことができる。伸縮性部材の弛緩状態の長さを記録する。次に、伸縮性部材をＩｎｓｔｒｏｎ又は同様の装置（つまり伸縮性部材の伸長距離の関数として力を測定できる装置）を使用して２５４ｍｍ／分の割合で規定された長さ（例えば、完全に伸長した長さ又はその一部分の長さ）まで引き伸ばし、３０秒間維持する。伸縮性部材の伸長完了の３０秒後に測定した力を定常状態の張力として記録する。伸縮性部材における定常状態の貯蔵エネルギーは、伸長時の応力ひずみ曲線の下の面積をｇ・秒の単位で、上記で記録した定常状態の張力に関連する点で測定することにより計算し、ｍＪで記録する。定常状態の貯蔵エネルギーの横方向の分配は、上記で計算した定常状態の貯蔵弾性エネルギーを伸縮性部材の幅（つまり横の長さ）で割って計算し、伸縮性部材の幅のミリメートル当たりのエネルギー（ｍＪ）で記録する（ｍＪ／ｍｍ）。
【００４３】
通過の仕事量
通過の仕事量とは、人工の糞便塊に伸長状態のスリット（例えば、６７％伸長時又は１００％伸長時）を通過させて押し出すのに必要なエネルギーの測定量である。トップシートの両末端部を一定の長さに引っ張ったまま保持する。角度が４０°で長さが４０ｍｍの円錐形の塑性体プローブをスリットと位置を合わせて配置し、Ｓｔｅｖｅｎｓ のテキスチャーアナライザーを使用して（詳細は別の事例に記載する）１分間に９０ｍｍの割合でスリットを通過するように押し出す。スリットを通過させてプローブを押し出すのに必要な力を時間／距離の関数として測定する。通過の仕事量は距離の曲線に対する力下の面積であり、ｍＪで記録される。
【００４４】
本発明の特定の実施形態、及び／又は個別の機構を例示し記述しているが、本発明の趣旨と範囲から逸脱することなく、様々なその他の変化と変形が可能であることは、当業者にとり明白である。更に、このような実施形態、及び機構の全ての組み合わせが可能であり、これにより本発明を好ましく実施できることも明らかである。従って、付随する請求項は、本発明の範囲内にある全てのこのような変化及び変形を包括するように意図するものである。
【００４５】
本明細書は、本発明を形成すると思われる主題を特定して指摘し明確に請求する請求項にて結論とするが、本発明は、添付図と関連づけて行う以下の説明によってより良く理解されると考えられ、添付図中では同様の表示記号は実質的に同一の要素を示すのに使用する。
【図面の簡単な説明】
【図１】使い捨て可能なおむつの平面図である。
【図２】本発明の使い捨て可能なおむつの構造を示す平面図である。
【図３】図２に示す使い捨て可能なおむつの構造の別の実施形態の平面図である。
【図４】図２に示す使い捨て可能なおむつの構造の別の実施形態の平面図である。
【国際公開パンフレット】
2004512098.tif 000004
2004512098.tif 000005
2004512098.tif 000006
2004512098.tif 000007
2004512098.tif 000008
2004512098.tif 000009
2004512098.tif 000010
2004512098.tif 000011
2004512098.tif 000012
2004512098.tif 000013
2004512098.tif 000014
2004512098.tif 000015
2004512098.tif 000016
2004512098.tif 000017
2004512098.tif 000018
2004512098.tif 000019
2004512098.tif 000020
2004512098.tif 000021
2004512098.tif 000022
2004512098.tif 000023
2004512098.tif 000024
2004512098.tif 000025
2004512098.tif 000026
2004512098.tif 000027
【国際公開パンフレット（コレクトバージョン）】
2004512098.tif 000028
2004512098.tif 000029
【国際調査報告】
2004512098.tif 000030
2004512098.tif 000031
2004512098.tif 000032